(57)【要約】【課題】被梱包物の保護性・荷扱い性に優れた梱包装置を提供すること。【解決手段】被梱包物１の両端部を支持する緩衝材２を当てがえて筒状の外装箱３に被梱包物１を挿入して結束バンド５で封函する梱包装置において、前記外装箱３の天面３ａの両端に、折り曲げ線７を有する延長部６を延設し、前記緩衝材２の端面の天面側に段差部８を設け、結束バンド５が緩んだときに、前記延長部６を前記折り曲げ線７のところで折り曲げて、その先端部９を前記段差部８に引っ掛けて空間部１０を形成するもので、積載時の緩衝材２と外装箱３の圧縮などで結束バンド５に緩みが発生した場合に、延長部６を折り曲げ、その先端部９を緩衝材２の段差部８に引っ掛けて空間部１０を形成することで、結束バンド５の緩みを吸収することができ、再び被梱包物１の保持が確実に行え保護性が向上する共に結束バンド５の巻き直しを行う作業を削減することができる。【選択図】図２
2009107720.tif 000002
【特許請求の範囲】
【請求項１】
被梱包物の両端部を支持する緩衝材を当てがえて筒状の外装箱に被梱包物を挿入して結束バンドで封函する梱包装置において、前記外装箱の天面の両端に、折り曲げ線を有する延長部を延設し、前記緩衝材の端面の天面側に段差部を設け、前記結束バンドが緩んだときに、前記延長部を前記折り曲げ線のところで折り曲げて、その先端部を前記段差部に引っ掛けて空間部を形成することを特徴とする梱包装置。
【請求項２】
外装箱の底面の両端に、折り曲げ線を有する延長部を延設し、緩衝材の端面の底面側に段差部を設けたことを特徴とする請求項１に記載の梱包装置。
【発明の詳細な説明】
【技術分野】
【０００１】
本発明は、梱包装置に関するもので、特に、分離型空気調和機の室内機の梱包に用いられる梱包装置に関するものである。
【背景技術】
【０００２】
従来この種の梱包装置としては、図６、７に示すような梱包装置があった。図６は、従来の梱包装置の分解斜視図、図７は、同梱包装置の端部の斜視図である。
【０００３】
図６、７において、従来の梱包装置は、空気調和機等の被梱包物１に、汚れや傷付きを防ぐための袋４を被せ、両端部には、輸送中の衝撃を吸収する緩衝材２を当てがい支持し、全体を筒状の外装箱３に収納し、結束バンド５にて梱包を完了するようになっている（例えば、特許文献１参照）。
【特許文献１】特開平０８−１１９３６９号公報
【発明の開示】
【発明が解決しようとする課題】
【０００４】
しかしながら、前記従来の梱包装置の構成では、保管時における積載荷重によって、緩衝材２と外装箱３が圧縮され、図７に示すように、結束バンド５に緩みが生じ、緩衝材２が外れたり、梱包装置内でのガサツキによって被梱包物１に傷付きが発生するなどの課題があった。また、輸送時においても、結束バンド５を持って荷扱いされるため、緩衝材２の潰れによって緩みが生じ易く、荷扱い性が悪くなるため結束バンド５を再巻き付けする必要が有り、作業性を著しく低下させるなどの課題を有していた。
【０００５】
本発明は、前記従来の課題を解決するものであり、構造を複雑化すること無く、被梱包物の保護性・荷扱い性に優れた梱包装置を提供することを目的とする。
【課題を解決するための手段】
【０００６】
前記従来の課題を解決するために、本発明の梱包装置は、被梱包物の両端部を支持する緩衝材を当てがえて筒状の外装箱に被梱包物を挿入して結束バンドで封函する梱包装置において、前記外装箱の天面の両端に、折り曲げ線を有する延長部を延設し、前記緩衝材の端面の天面側に段差部を設け、前記結束バンドが緩んだときに、前記延長部を前記折り曲げ線のところで折り曲げて、その先端部を前記段差部に引っ掛けて空間部を形成するもので、保管時における積載荷重によって緩衝材と外装箱の圧縮で生じる結束バンドの緩みや荷扱い時の結束バンドの緩みが発生した場合に、外装箱天面の両端に設けた延長部を折り曲げ、緩衝材の段差部に先端を引っ掛けることより形成された空間部により、結束バンドの緩みを吸収することができ再び被梱包物の保持が確実に行え保護性が向上する共に巻き直しを行う作業を削減することができる。
【発明の効果】
【０００７】
本発明は、構造を複雑化すること無く被梱包物の保護性・荷扱い性に優れた梱包装置を提供することができる。
【発明を実施するための最良の形態】
【０００８】
第１の発明は、被梱包物の両端部を支持する緩衝材を当てがえて筒状の外装箱に被梱包物を挿入して結束バンドで封函する梱包装置において、前記外装箱の天面の両端に、折り曲げ線を有する延長部を延設し、前記緩衝材の端面の天面側に段差部を設け、前記結束バンドが緩んだときに、前記延長部を前記折り曲げ線のところで折り曲げて、その先端部を
前記段差部に引っ掛けて空間部を形成するもので、保管時における積載荷重によって緩衝材と外装箱の圧縮で生じる結束バンドの緩みや荷扱い時の結束バンドの緩みが発生した場合に、外装箱天面の両端に設けた延長部を折り曲げ、緩衝材の段差部に先端を引っ掛けることより形成された空間部により、結束バンドの緩みを吸収することができ再び被梱包物の保持が確実に行え保護性が向上する共に巻き直しを行う作業を削減することができる。
【０００９】
第２の本発明は、特に、第１の発明の外装箱の底面の両端に、折り曲げ線を有する延長部を延設し、緩衝材の端面の底面側に段差部を設けたもので、保管・輸送時の荷扱いでの結束バンドの緩みを上下それぞれの空間部でさらに吸収することができ再び被梱包物の保持が確実に行え保護性が向上する共に巻き直しを行う作業を削減することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における梱包装置の斜視図、図２は、同梱包装置の端部の断面図、図３は、同梱包装置において、結束バンドが緩んだ時の処理を示す端部の斜視図である。
【００１２】
図１、２において、１は被梱包物であり、本実施の形態では分離型空気調和機の室内機とする。２は、被梱包物１の左右両端部を支持する緩衝材で、梱包保管時の積載荷重を支えるとともに輸送時の落下などの外力より被梱包物１を保護するもので、端面の天面側に段差部８が形成されている。
【００１３】
３は、段ボール材からなると共に筒状に形成された外装箱で、その天面３ａの両端には延長部６が延設され、延長部６には折り曲げ線７が設けられている。本実施の形態における梱包装置の梱包作業は、空気調和機等の被梱包物１に、汚れや傷付きを防ぐための袋（図示せず）を被せ、両端部に、緩衝材２を当てがい支持し、全体を、筒状の外装箱３に収納した後、左右の延長部６を内方に折り曲げ、結束バンド５で封函することにより、完了するものである。
【００１４】
そして、被梱包物１を収納した梱包装置を積載した保管時に、積載荷重によって緩衝材２と外装箱３の圧縮で生じる結束バンド５の緩みや、荷扱い時の結束バンド５の緩みが発生した場合には、図３に示すように、外装箱３の天面３ａの両端に設けた延長部６を、折り曲げ線７で折り曲げて、延長部６の先端部９を、緩衝材２に設けた段差部８に引っ掛けて、空間部１０を形成するようにする。
【００１５】
以上のように本実施の形態によれば、積載時や荷扱い時に発生した結束バンド５の緩みを、延長部６で形成される空間部１０で簡単に吸収することができ、再び被梱包物１の保持が確実に行え保護性が向上する共に、結束バンド５の巻き直しを行う作業を削減することができるものである。
【００１６】
（実施の形態２）
図４は、本発明の第２の実施の形態における梱包装置の端部の斜視図、図５は、同梱包装置の端部の断面図である。なお、上記第１の実施の形態における梱包装置と同一部分には同一符号を付してその説明を省略する。
【００１７】
上記第１の実施の形態では、延長部６を外装箱３の天面３ａの両端に延設したが、本実施の形態は、図４、５に示すように、外装箱１の天面３ａと底面３ｂの両端のそれぞれに延長部６を延設したもので、それぞれの延長部６には、上記第１の実施の形態同様折り曲
げ線７が設けられている。
【００１８】
そして梱包装置の積載時や荷扱い時に結束バンド５に緩みが生じた場合、上記第１の実施の形態同様、外装箱３の両端の上下に設けた延長部６を、折り曲げ線７のところで折り曲げて先端部９を緩衝材２の段差部８に引っ掛けて、上下それぞれに空間部１０を形成するようにしたものである。
【００１９】
以上のように本実施の形態によれば、上下それぞれに空間部１０が形成されるため保管・輸送時の荷扱いでの結束バンド５の緩みをさらに吸収することができ再び被梱包物１の保持が確実に行え保護性が向上する共に巻き直しを行う作業を削減することができる。
【００２０】
なお、上記実施の形態では、結束バンド５が緩んだときに、外装箱３の両端の上下の延長部６、すなわち４つの延長部６を折り曲げて空間部１０を形成するようにしたが、結束バンド５の緩みが小さいときは、とりあえず２つの延長部６を折り曲げ、結束バンド５の緩みが進行し大きくなった時に、残りの２つの延長部６を折り曲げるようにしても良い。
【産業上の利用可能性】
【００２１】
以上のように、本発明に係る梱包装置は、構造を複雑化すること無く被梱包物の保護性・荷扱い性の向上が可能となるもので、結束バンドを用いて支持する比較的軽量な梱包装置の用途に適している。
【図面の簡単な説明】
【００２２】
【図１】本発明の実施の形態１における梱包装置の斜視図
【図２】同梱包装置の端部の断面図
【図３】同梱包装置において、結束バンドが緩んだ時の処理を示す端部の斜視図
【図４】本発明の実施の形態２における梱包装置において、結束バンドが緩んだ時の処理を示す端部の斜視図
【図５】同梱包装置において、結束バンドが緩んだ時の処理を示す端部の断面図
【図６】従来の梱包装置の分解斜視図
【図７】同梱包装置の端部の斜視図
【符号の説明】
【００２３】
１  被梱包物
２  緩衝材
３  外装箱
３ａ  天面
３ｂ  底面
４  袋
５  結束バンド
６  延長部
７  折り曲げ線
８  段差部
９  先端部
１０  空間部
【図１】
2009107720.tif 000003
【図２】
2009107720.tif 000004
【図３】
2009107720.tif 000005
【図４】
2009107720.tif 000006
【図５】
2009107720.tif 000007
【図６】
2009107720.tif 000008
【図７】
2009107720.tif 000009